(57)【要約】      （修正有）【課題】部品点数が少なく、小型化が可能であり、成形が容易でインクミスト等の遮蔽性に優れ、回動フラップの離脱、破損の虞のないカバー装置を提供する。【解決手段】本発明のカバー装置１は、ケース本体の開口部を閉鎖するカバー部材３１と、別体に設けられる回動フラップ３７、回動復元装置４０及び係止片を有する回動ロック機構とを備えており、回動復元装置４０を弾性支持部４８を介してカバー部材３１と接続される軸部４９と、弾性作用部５０を介して回動フラップ３７と接続される軸受部のみから構成し、別途の付勢手段を設けることなく弾性支持部４８と弾性作用部５０の有する弾性復元力Ｆを利用して回動フラップ３７を回動復元するようにしている。【選択図】図１１
2008018697.tif 000002
【特許請求の範囲】
【請求項１】
ケース本体の開口部を閉鎖する回動開閉式のカバー部材と、該カバー部材の閉鎖状態を保持する回動ロック機構とを備えるカバー装置であって、
前記回動ロック機構は、前記カバー部材の回動自由端に対して別体に設けられる回動フラップと、該回動フラップとカバー部材との回動接続部に設けられる回動復元装置と、前記回動フラップの回動自由端に対して一体に設けられ、前記ケース本体の一部に係止することで前記カバー部材の回動動作をロックする係止片とを備えることによって構成されており、
前記回動復元装置は、弾性支持部を介して前記カバー部材に設けられた軸部と、弾性作用部を介して前記回動フラップに設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とするカバー装置。
【請求項２】
請求項１に記載のカバー装置において、前記軸部は、外周面の周方向における一部の範囲のみを回動軸として使用する部分軸であり、前記軸受部は前記軸部の外周面の一部のみと係合又は当接する部分軸受であることを特徴とするカバー装置。
【請求項３】
請求項２に記載のカバー装置において、前記軸部は、外周面の周方向における４分の３の範囲のみを回動軸として使用する４分の３周分の円柱軸によって構成されていることを特徴とするカバー装置。
【請求項４】
請求項２に記載のカバー装置において、前記軸部は、外側面の周方向における４分の３の範囲のみを回動軸として使用する４分の３周分の角柱軸によって構成されていることを特徴とするカバー装置。
【請求項５】
請求項２〜４のいずれか１項に記載のカバー装置において、前記軸部の一部には外周面又は外側面の周方向における２分の１の範囲のみを回動軸として使用する２分の１周分の半周軸が形成されていることを特徴とするカバー装置。
【請求項６】
請求項２〜５のいずれか１項に記載のカバー装置において、前記軸受部は、前記軸部を挟持状態で保持する一対の係合フック付きの弾性挟持片と、係合フックを有しない他の弾性挟持片とによって構成されており、これら一対の弾性挟持片が軸方向に位置をずらして１８０°位相を異ならせ、複数組設けられていることを特徴とするカバー装置。
【請求項７】
請求項６に記載のカバー装置において、前記一対の弾性挟持片の一組は前記４分の３周分の円柱軸ないし角柱軸に対して係合ないし当接し、一方、前記一対の弾性挟持片における他の組は前記２分の１周分の半周軸に対して係合ないし当接するように構成されていることを特徴とするカバー装置。
【請求項８】
請求項１〜７のいずれか１項に記載のカバー装置において、前記カバー部材の一部には前記回動フラップの回動範囲を規制するストッパが設けられていることを特徴とするカバー装置。
【請求項９】
請求項１〜８のいずれか１項に記載のカバー装置において、前記カバー部材は、カバー閉鎖状態では該ケース本体内部を外部と隔離する構造に形成されていることを特徴とするカバー装置。
【請求項１０】
インクカートリッジを収容するキャリッジ本体と、該キャリッジ本体の開口部を閉鎖する回動開閉式のカバー部材と、該カバー部材の閉鎖状態を保持する回動ロック機構とを備えたカバー装置を有する記録装置であって、前記カバー装置は請求項１〜９のいずれか１項に記載したカバー装置であることを特徴とする記録装置。
【請求項１１】
液体カートリッジを収容するキャリッジ本体と、該キャリッジ本体の開口部を閉鎖する回動開閉式のカバー部材と、該カバー部材の閉鎖状態を保持する回動ロック機構とを備えたカバー装置を有する液体噴射装置であって、前記回動ロック機構は、前記カバー部材の回動自由端に対して別体に設けられる回動フラップと、該回動フラップとカバー部材との回動接続部に設けられる回動復元装置と、前記回動フラップの回動自由端に対して一体に設けられ、前記ケース本体の一部に係止することで前記カバー部材の回動動作をロックする係止片とを備えることによって構成されており、前記回動復元装置は、弾性支持部を介して前記カバー部材に設けられた軸部と、弾性作用部を介して前記回動フラップに設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とする液体噴射装置  。
【請求項１２】
支持部材に対して回動自在に接続される回動部材を所定の方向に回動させると、回動部材が再び元の位置に戻るような回動復元力を生じさせる回動復元装置であって、
前記回動復元装置は弾性支持部を介して前記支持部材に設けられた軸部と、弾性作用部を介して前記回動部材に設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とする回動復元装置。
【発明の詳細な説明】
【技術分野】
【０００１】
本発明は、ケース本体の開口部を閉鎖する回動開閉式のカバー部材と、該カバー部材の閉鎖状態を保持する回動ロック機構とを備えるカバー装置、上記回動ロック機構の回動フラップとカバー部材との回動接続部に対して適用可能な回動復元装置及び上記カバー装置及び回動復元装置を備えた記録装置に関する。  
更に本発明は、インク等の液体をそのヘッドから吐出（噴射）して被記録材（被液体噴射材）に記録を実行する（液体を噴射する）インクジェット式記録装置などの液体噴射装置、該液体噴射装置に対し設けられるカバー装置及び該カバー装置に対して適用可能な回動復元装置に関するものである。
【０００２】
ここで液体噴射装置とは、インクジェット式記録ヘッドが用いられ、該記録ヘッドからインクを吐出して被記録材に記録を行うプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
下記の特許文献１に示すようなインクジェット式記録装置を例に採ると、インクカートリッジを収容するキャリッジ本体の上面には、キャリッジ本体の開口部を閉鎖する回動開閉式のカバー部材が設けられていた。そして、カバー部材の回動自由端にはカバー部材の閉鎖状態を保持するためのフック部材が一体に設けられており、このフック部材をキャリッジ本体の一部に係止させることでカバー部材の閉鎖状態を保持していた。
【０００４】
このようなカバー部材と一体のフック部材は、インクミストのキャリッジ本体内への進入を防止する上では効果的とされていたが、フック部材の過剰な変位量を防止するためのストッパが設けられていなかったため、破損を起こす危険性が指摘されていた。またフック部材とキャリッジ本体との間には加工精度によって必然的に形成される隙間ができており、顔料インク等の採用によって微細化が進んでいるインク粒径等の動向を考えると上記構造は完全なものではなく、インクミストのキャリッジ本体内への進入を防止する更に万全な対策が望まれていた。
【０００５】
一方、インクジェットプリンタは近時急速に小型化が進んでおり、小型化を困難にする上記カバー部材と一体構造のフック部材の構成を見直し、当該フック部材に代わる新たな回動ロック機構の開発な模索されている。しかし、カバー部材と別体に新たに回動ロック機構を設けるとなると、部品点数の増加を招くことになる。また、カバー部材と回動ロック機構との間には、両者を回動自在に接続する軸部と軸受部が設けられることになるが、外周面の全周を回動軸として使用する軸部や当該軸部の外周面の全周を保持する軸受部を設けることは部品の成形を困難にし、成形型の構成を複雑にしてアンダーカット用の穴等の形成を必要にする。
【０００６】
そして、カバー部材や回動ロック機構の一部にアンダーカット用の穴が形成されると、上記インクミストのキャリッジ本体内への進入の虞が高まり、キャリッジ本体内にインクミストが進入するとインクカートリッジに取り付けられている電子回路基板等に付着してショートや接点不良を起こし、これらに起因する動作不良等を招くことになる。また、上記軸部を外周面の一部のみを回動軸として使用する部分軸とし、上記軸受部を上記軸部の外周面の一部のみを支承する部分軸受とすることも可能であるが、単純な構成では自由部と軸受部の嵌合が不十分になり、回動ロック機構がカバー部材から外れる危険性が生ずる。
【０００７】
【特許文献１】特開２００２−１０３５７３号公報
【発明の開示】
【発明が解決しようとする課題】
【０００８】
そこで本発明は、少ない部品点数で、回動復元力を付与できる回動復元装置を提供すること、カバー部材の小型化が可能で成形が容易であり、インクミスト等に対する遮蔽性に優れ、カバー部材から回動フラップが容易に外れたり、破損する虞のないカバー装置及び該カバー装置を備えた記録装置等を提供することを課題とするものである。
【課題を解決するための手段】
【０００９】
上記課題を解決するために本発明の第１の態様に係るカバー装置は、ケース本体の開口部を閉鎖する回動開閉式のカバー部材と、該カバー部材の閉鎖状態を保持する回動ロック機構とを備えるカバー装置であって、前記回動ロック機構は、前記カバー部材の回動自由端に対して別体に設けられる回動フラップと、該回動フラップとカバー部材との回動接続部に設けられる回動復元装置と、前記回動フラップの回動自由端に対して一体に設けられ、前記ケース本体の一部に係止することで前記カバー部材の回動動作をロックする係止片とを備えることによって構成されており、前記回動復元装置は、弾性支持部を介して前記カバー部材に設けられた軸部と、弾性作用部を介して前記回動フラップに設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とするものである。
【００１０】
本発明の第１の態様によれば、係止片を一体に備えた回動フラップをカバー部材と別体構造にて設けているから、当該カバー部材の小型化が容易になり、またカバー部材の成形が容易であり、以て貫通孔等の無いカバ−部材を容易に成形することが可能となる。従って、インクミスト等に対する遮蔽性に優れ、回動フラップの回動動作に関係なくケース本体とカバー部材間の気密性が維持され、ケース本体内へのインクミスト等の進入を確実に防止することができる。  
また、回動復元装置は、別途の付勢手段を設けることなく、それ自体で所望の弾性復元力を発生させているから、当該回動復元装置の部品点数を少なくし、回動復元力装置の構成を簡単にすることができる。
【００１１】
本発明の第２の態様に係るカバー装置は、前記第１の態様において、前記軸部は外周面の周方向における一部の範囲のみを回動軸として使用している部分軸であり、前記軸受部は前記軸部の外周面の一部のみと係合又は当接している部分軸受であることを特徴とするものである。  
本発明の第２の態様によれば、軸部をカバー部材と一体に成形できるようになり、軸受部を回動フラップと一体に成形できるようになるからカバー装置を少ない部品点数で簡単、コンパクトに構成できるようになる。
【００１２】
本発明の第３の態様に係るカバー装置は、前記第２の態様において、前記軸部は外周面の周方向における４分の３の範囲のみを回動軸として使用している４分の３周分の円柱軸によって構成されていることを特徴とするものである。  
本発明の第３の態様によれば、カバー部材を成形する成形型の構成を単純化することができ、カバー部材に対してアンダーカット用の穴を設ける必要がなくなるから、ケース本体とカバー部材間の気密性を向上させてインクミスト等の進入を確実に防止できる。また軸部の外周面の周方向における４分の３の範囲は回動軸として使用できるから回動フラップの必要な回動範囲と、軸部に対する軸受部の必要な係合状態とを確保できる。
【００１３】
本発明の第４の態様に係るカバー装置は、前記第２の態様において、前記軸部は外側面の周方向における４分の３の範囲のみを回動軸として使用している４分の３周分の角柱軸によって構成されていることを特徴とするものである。  
本発明の第４の態様によれば、カバー部材を成形する成形型の構成を単純化することができ、カバー部材に対してアンダーカット用の穴を設ける必要がなくなるから、ケース本体とカバー部材間の気密性を向上させてインクミスト等の進入を確実に防止できる。また軸部の外周面の周方向における４分の３の範囲は回動軸として使用できるから回動フラップの必要な回動範囲と、軸部に対する軸受部の必要な係合状態とが確保できる。また角柱軸とすることにより、軸部に対する軸受部の係合状態は強固になる。
【００１４】
本発明の第５の態様に係るカバー装置は、前記第２から第４のいずれか１つの態様において、前記軸部の一部には外周面又は外側面の周方向における２分の１の範囲のみを回動軸として使用している２分の１周分の半周軸が形成されていることを特徴とするものである。  
本発明の第５の態様によれば、軸部の成形が更に容易になり、軸部に対する軸受部の係合状態が更に強固になるから、カバー部材から回動フラップが不用意に外れないようになる。また、軸部の一部のみが半周軸になっているだけであるから、他の部位の４分の３周軸によって回動フラップの必要な回動範囲も確保されている。
【００１５】
本発明の第６の態様に係るカバー装置は、前記第２から第５のいずれか１つの態様において、前記軸受部は、前記軸部を挟持状態で保持する一対の係合フック付きの弾性挟持片と、係合フックを有しない他の弾性挟持片とによって構成されており、これら一対の弾性挟持片が軸方向に位置をずらして１８０°位相を異ならせ、複数組設けられていることを特徴とするものである。  
本発明の第６の態様によれば、一対の弾性挟持片による挟持力が位相を異ならせて複数の位置で軸部に作用することによって軸受として機能するようになり、同じく位相を異ならせて係合フックが複数の位置で軸部に作用することによってカバー部材から回動フラップが不用意に外れないようになる。
【００１６】
本発明の第７の態様に係るカバー装置は、前記第６の態様において、前記一対の弾性挟持片の一組は前記４分の３周分の円柱軸ないし角柱軸に対して係合ないし当接し、一方、前記一対の弾性挟持片における他の組は前記２分の１周分の半周軸に対して係合ないし当接するように構成されていることを特徴とするものである。  
本発明の第７の態様によれば、４分の３周分の円柱軸ないし角柱軸に対して係合する一対の弾性挟持片によって回動フラップの必要な回動範囲が確保され、上記４分の３周分の円柱軸ないし角柱軸に対して係合する係合フックと、上記半周軸に対して係合する位相を異ならせた他の係合フックとによる係合作用によって回動フラップがカバー部材から容易に外れないようになる。
【００１７】
本発明の第８の態様に係るカバー装置は、前記第１から第７のいずれか１つの態様において、前記カバー部材の一部には前記回動フラップの回動範囲を規制するストッパが設けられていることを特徴とするものである。  
本発明の第８の態様によれば、回動フラップの過剰な回動が防止されるから回動フラップの破損や回動フラップのカバー部材からの離脱が防止される。
【００１８】
本発明の第９の態様に係るカバー装置は、前記第１から第８のいずれか１つの態様において、前記カバー部材はカバー閉鎖状態では該ケース本体内部を外部と隔離する構造に形成されていることを特徴とするものである。  
本発明の第９の態様によれば、前記カバー部材はカバー閉鎖状態では該ケース本体内部を外部と隔離する構造に形成されているから、当該カバー部材には上記アンダーカット用の穴を含めた一切の貫通孔等が設けられていない。従って、カバー部材とケース本体間の気密性が向上し、インクミスト等のケース本体内への進入を確実に防止できる。
【００１９】
本発明の第１０の態様に係る記録装置は、インクカートリッジを収容するキャリッジ本体と、該キャリッジ本体の開口部を閉鎖する回動開閉式のカバー部材と、該カバー部材の閉鎖状態を保持する回動ロック機構とを備えたカバー装置付きの記録装置であって、前記カバー装置は前記第１〜第９のいずれか１つの態様のカバー装置であることを特徴とするものである。
【００２０】
本発明の第１０の態様によれば、少ない部品点数で、回動復元力を付与できる回動復元装置と、カバー部材の小型化が可能で成形が容易であり、インクミストの遮蔽性に優れ、カバー部材から容易に外れたり、破損の虞のないカバー装置とを備えた記録装置を提供できるようになる。そして、キャリッジ本体内へのインクミストの進入を防止することでインクカートリッジに取り付けられている電子回路基板等へのインクミストの付着を防止し、インクミストの付着に起因して生ずる動作不良等を効果的に防止することが可能になる。
【００２１】
本発明の第１１の態様に係る液体噴射装置は、液体カートリッジを収容するキャリッジ本体と、該キャリッジ本体の開口部を閉鎖する回動開閉式のカバー部材と、該カバー部材の閉鎖状態を保持する回動ロック機構とを備えたカバー装置を有する液体噴射装置であって、前記回動ロック機構は、前記カバー部材の回動自由端に対して別体に設けられる回動フラップと、該回動フラップとカバー部材との回動接続部に設けられる回動復元装置と、前記回動フラップの回動自由端に対して一体に設けられ、前記キャリッジ本体の一部に係止することで前記カバー部材の回動動作をロックする係止片とを備えることによって構成されており、前記回動復元装置は、弾性支持部を介して前記カバー部材に設けられた軸部と、弾性作用部を介して前記回動フラップに設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とするものである。
【００２２】
本発明の第１２の態様に係る回動復元装置は、支持部材に対して回動自在に接続される回動部材を所定の方向に回動させると、回動部材が再び元の位置に戻るような回動復元力を生じさせる回動復元装置であって、前記回動復元装置は弾性支持部を介して前記支持部材に設けられた軸部と、弾性作用部を介して前記回動部材に設けられた軸受部を備え、該回動フラップをロック解除方向にロック解除する位置まで回動すると、前記弾性支持部と前記弾性作用部の少なくとも一方に弾性復元力が発生して当該回動フラップをロック方向に回動して戻すように構成されていることを特徴とするものである。
【００２３】
本発明の第１２の態様によれば、支持部材と回動自在に接続される回動部材に対して、極めて簡単な構成で少ない部品点数の回動復元装置を適用できるようになる。
【発明を実施するための最良の形態】
【００２４】
以下、本願発明に係る回動復元装置、該回動復元装置を備えたカバー装置及び該カバー装置を備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２５】
図１はハウジングを取り外した状態のインクジェットプリンタを示す斜視図、図２はインクジェットプリンタの内部構造の概略を示す側断面図である。
【００２６】
図示のインクジェットプリンタ１００は液体噴射装置本体、そして記録装置本体の一例であるプリンタ本体３を備え、該プリンタ本体３の後部寄りの上部に自動給送装置２を備えている。自動給送装置２は自動的に被液体噴射材の一例である被記録材Ｐ（以下単に用紙Ｐともいう）を連続して給送することのできる装置で、複数枚の用紙Ｐを積畳し得る給送用トレイ５と、給送用トレイ５上の用紙Ｐを給送用ローラ１４に向けて押し上げるホッパ１６と、ホッパ１６との挟圧送り作用によって給送用トレイ５上の上位の用紙Ｐをピックアップする給送用ローラ１４とを備えている。また上記給送用トレイ５には用紙Ｐのエッジに当接して用紙Ｐの搬送方向となる副走査方向Ｙに用紙Ｐを案内するエッジガイド１５が設けられている。
【００２７】
また図２に示すように上記給送用ローラ１４の下流には、上下一対のニップローラによって構成されている搬送用ローラ１９が設けられており、該搬送用ローラ１９によって搬送された用紙Ｐは記録ポジション２６に導かれる。記録ポジション２６の上方には用紙Ｐに液体の一例であるインクを吐出して直接記録を実行する液体噴射ヘッドの一例である記録ヘッド１３が位置しており、記録ポジション２６の下方には用紙Ｐの下面を支えて上記記録ヘッド１３との間のギャップＰＧを規定するプラテン２８が設けられている。
【００２８】
記録ヘッド１３は主走査方向Ｘに架け渡されたキャリッジガイド軸１２によって案内され、同じく主走査方向Ｘに張設された無端ベルト１１から駆動力を伝達されて往復動するキャリッジ１０の下面に搭載されている。キャリッジ１０はケース本体としての液体カートリッジの一例であるキャリッジ本体３０と、該キャリッジ本体３０の上面の開口部を閉鎖する回動開閉式の支持部材の一例であるカバー部材３１とを備えている。
【００２９】
また記録ポジション２６の用紙搬送方向の下流には上記搬送用ローラ１９と同様、一対のニップローラによって構成されている排出用ローラ２０が設けられており、該排出用ローラ２０によって排出された用紙Ｐは図示しない被液体噴射材受け部の一例である排出用スタッカの載置面上に排出され積畳されるようになっている。
【００３０】
［実施例］
次にこのようにして構成されるインクジェットプリンタ１００における上記キャリッジ１０に対して適用される本発明のカバー装置１と、該カバー装置１に対して適用される本発明の回動復元装置４０について図面に基づいて具体的に説明する。
【００３１】
図３はキャリッジを示す斜め後方からの斜視図、図４はカバー装置を示す分解斜視図である。図５はカバー装置を示す平面図、図６はカバー装置を示す左側面図である。図７は図５中のＡ−Ａ断面図、図８は図５中のＢ−Ｂ断面図である。図９は回動フラップをロック方向に一杯に回動させた状態を示す側断面図、図１０は回動フラップをロック解除方向に一杯に回動させた状態を示す側断面図である。また図１１は回動復元装置の回動復元作動状態を誇張して示す側断面図である。
【００３２】
本発明のカバー装置１はキャリッジ本体３０の開口部を閉鎖する上記カバー部材３１と、該カバー部材３１の閉鎖状態を保持する回動ロック機構３２とを備えることによって構成されている。カバー部材３１はキャリッジ本体３０のインクカートリッジＣの装填、取り出しを行うための上面の開口部を閉鎖する蓋条の部材である。カバー部材３１の回動基端３３の左右の側面には外方に向けて突出するように丸棒状の回動軸３４、３４が設けられている。これらの回動軸３４、３４は図３、５に示すようにキャリッジ本体３０に対して設けられている軸支承部材３５、３５によって回動自在に支承されている。
【００３３】
一方、回動ロック機構３２は上記カバー部材３１の回動自由端３６に対して別体に設けられる回動部材としての回動フラップ３７と、該回動フラップ３７とカバー部材３１との回動接続部に対して設けられる本発明の回動復元装置４０と、上記回動フラップ３７における回動自由端４１の一例として左側面から外方に突出するように一体に設けられる係止片４２とを備えている。
【００３４】
回動フラップ３７は前面板３８と天面板３９とによって構成される側面視略Ｌ型形状をした幅広の部材である。回動フラップ３７の中央には回動フラップ３７を拡開して回動ロック機構３２のロック状態を解除する場合に指を掛ける庇状に張り出した指掛け部４３が設けられている。また回動フラップ３７の前面板３８の裏面及び天面板３９を利用して回動復元装置４０の一部を構成する軸受部４４が設けられている。また係止片４２は図６に示すように後面側上部に傾斜面、後面側下部に湾曲面が形成された側面視扇形状をした突起状の部材である。そして上記傾斜面がキャリッジ本体３０の一部に設けられている係止部材４５に当接して係止される係止面４６、上記湾曲面が上記係止部材４５との係止状態や係止解除状態を円滑に案内する案内曲面４７になっている。
【００３５】
回動復元装置４０は弾性支持部４８を介して上記カバー部材３１と接続される軸部４９と、弾性作用部５０を介して上記回動フラップ３７と接続される上述した軸受部４４のみを備えることによって基本的に構成されている。従って回動復元装置４０には別途の付勢手段は設けられておらず、上記弾性支持部４８と弾性作用部５０の有する弾性復元力Ｆのみを利用してロック解除方向Ａに回動させた回動フラップ３７を再びロック方向Ｂに戻すように付勢する付勢力を得ている。
【００３６】
また上記軸部４９は外周面の全周ではなく、外周面の周方向における一部の範囲のみを回動軸として使用している部分軸であり、上記軸受部４４は上記軸部４９の外周面の全周ではなく、外周面の一部のみと係合ないし当接している部分軸受によって構成されている。そして軸部４９をこのように部分軸とし、軸受部４４を部分軸受とすることにより、図示のようにカバー部材３１と軸部４９との一体成形が可能になり、回動フラップ３７と軸受部４４との一体成形が可能になっているのである。
【００３７】
本実施例では軸部４９のほとんどの部分は外周面の周方向における４分の３の範囲のみを回動軸として使用している４分の３周分の円柱軸５１によって構成されている。また当該４分の３周分の円柱軸５１の左右には外周面の周方向における２分の１の範囲のみを回動軸として使用している２分の１周分の半周軸５２、５２が形成されている。また回動軸として使用しない円柱軸５１の残りの４分の１周分の範囲を利用して弾性支持部４８が設けられている。弾性支持部４８は矩形平板状の部材でカバー部材３１の回動自由端３６の端面から前方に張り出すように設けられている。
【００３８】
また上記４分の３周分の円柱軸５１の前面中央には長手方向に延びるスリット状の溝部５６が形成されている。この溝部５６は成形品の厚さのばら付きをなくして成形時のヒケ等を防止する目的で設けられているものであるが、同時に円柱軸５１に弾性力を付与し、後述する回動フラップ３７の弾性復元動作を助長する役割も担っている。
【００３９】
一方、軸受部４４は、上記軸部４９を挟持状態で保持する一対の係合フック付きの弾性挟持片５３と、係合フックを有しない他の弾性挟持片５４とによって構成されている。また、それぞれの弾性挟持片５３、５４は、弾性復元力Ｆを発揮する弾性作用部５０と直接軸部４９に係合又は当接して軸受として機能する軸受作用部５７とから構成されている。そして、係合フック付きの弾性挟持片５３における軸受作用部５７が軸部４９の外周面の一部に係合する係合フック５５、係合フックを有しない他の弾性挟持片５４における軸受作用部５７が軸部４９の外周面の一部に当接するだけの当接端５８によって構成されている。
【００４０】
また、このような一対の弾性挟持片５３、５４は軸方向に位置をずらして一例として４組設けられている。前記４分の３周分の円柱軸５１と係合又は当接する中央側に位置する２組の弾性挟持片５３、５４と、前記半周軸５２と係合又は当接する左右両端側に位置する２組の弾性挟持片５３、５４とによって構成されている。またこのように軸方向に位置をずらして配置されるそれぞれの組（中央側に位置する２組と左右両端側に位置する２組）の弾性挟持片５３、５４は、図７、図８に示すように、１８０°位相を異ならせて互い違いに配置されている。
【００４１】
因みに、このように軸部４９と軸受部４４を構成することによって従来上下方向に設定されていた金型の抜き方向を、図７中、矢印で示すように上方と前方に変更できるようになり、カバー部材３１に対してアンダーカット用の穴を形成する必要はなくなっている。従って、本実施例では上記アンダーカット用の穴を含めてカバー部材３１にはキャリッジ本体３０と連通する一切の貫通部は設けられていない。この他、上記弾性支持部４８の上面の一部は、図１０に示すように、回動フラップ３７をロック解除方向Ａに回動させた時の回動停止位置を規定するストッパとなっており、上記４分の３周分の円柱軸５１の弾性支持部４８との付け根部分下面の一部は、図９に示すように、回動フラップ３７をロック方向Ｂに回動させた時の回動停止位置を規定するストッパとしても機能している。
【００４２】
次に、このようにして構成される本発明のカバー装置１と本発明の回動復元装置４０の作動態様を（１）通常時、（２）ロック方向回動時、（３）ロック解除方向回動時、（４）回動復元力作動時に分けて説明する。
【００４３】
（１）通常時（図７、図８参照）
通常時は図７に示すように、回動フラップ３７は前面板３８がほぼ垂直で、天面板３９がほぼ水平な状態になっている。この状態では係止片４２の係止面４６がキャリッジ本体３０側の係止部材４５によって係止され、カバー部材３１の拡開方向の回動が規制された回動ロック状態になっている。また、軸方向にずらして１８０°位相を異ならせて配置されている４組の弾性挟持片５３、５４の作用により、側面から通して視た状態では、軸部４９は上下から係合フック５５によって確実に係合されている状態にあるから、回動フラップ３７がカバー部材３１から不用意に外れることはない。
【００４４】
（２）ロック方向回動時（図９参照）
上記通常時の状態から、更に回動フラップ３７をロック方向Ｂに回動させて行くと、図９に示すように、中央側の弾性挟持片５３、５４における係合フックを有しない弾性挟持片５４の当接端５８が４分の３周分の円柱軸５１と弾性支持部４８との付け根部分下面の一部に当接するようになる。従って、回動フラップ３７のロック方向Ｂへのそれ以上の回動は停止され、回動フラップ３７の過剰な回動によって生ずる回動フラップ３７の破損やカバー部材３１からの回動フラップ３７の離脱は防止されている。
【００４５】
（３）ロック解除方向回動時（図１０参照）
上記通常時の状態から、回動フラップ３７の指掛け部４３に指を掛けて回動フラップ３７をロック解除方向Ａに回動させて行くと、図１０に示すように、中央側の弾性挟持片５３、５４における係合フック付きの弾性挟持片５３の係合フック５５が、弾性支持部４８の上面の一部に当接するようになる。従って、回動フラップ３７のロック解除方向Ａへのそれ以上の回動は停止される。またこの時、左右両端側に位置する弾性挟持片５３、５４における係合フック付きの弾性挟持片５３の係合フック５５が半周軸５２の下側のコーナー部５９に引っ掛かり、係合した状態になる。従って、回動フラップ３７の過剰な回動によって生ずる回動フラップ３７の破損やカバー部材３１からの回動フラップ３７の離脱は防止される。
【００４６】
（４）回動復元力作動時（図１１参照）
回動フラップ３７をロック解除方向Ａに回動させると、一対の弾性挟持片５３、５４は図示のように弾性作用部５０において湾曲して弾性変形する。また、回動フラップ３７が上記ロック解除方向Ａの回動停止位置に到達した状態では、軸部４９は側面方向から視た状態で上下に位置する１８０°位相を異ならせて配置されたそれぞれの係合フック付きの弾性挟持片５３における係合フック５５によって上方に向けて摘み上げられるようになる。これに伴って弾性支持部４８も図示のように湾曲し、弾性変形する。
【００４７】
そして、上記弾性作用部５０と弾性支持部４８が弾性変形することによって生ずる弾性復元力Ｆに、捩じられた軸部４９が元に戻ろうとする弾性復元力ｆが加わって、回動フラップ３７は、別途の付勢手段を設けなくても自動的にロック方向Ｂに回動し、係止片４２の案内曲面４７に案内されて係止片４２の係止面４６がキャリッジ本体３０の係止部材４５に係止された上記通常時の状態に復帰する。
【００４８】
［他の実施例］
本願発明に係るカバー装置１及び該カバー装置１を備えた記録装置１００等及び回動復元装置４０は、以上述べたような構成を基本とするものであるが、本願発明の要旨を逸脱しない範囲内の部分的構成の変更や省略等を行うことも勿論可能である。例えば、係止片４２を設ける位置は、回動フラップ３７の左側面に限らず、右側面であってもよいし、前面等他の面であっても構わない。また軸部４９は円柱軸の他、多角形断面の角柱軸であってもよく、４分の３周分の円柱軸５１や半周軸５２は厳密に４分の３或いは２分の１である必要はなく、同様の作用効果を発揮する範囲で適宜調整が可能である。また本発明のカバー装置１はインクジェットプリンタ１００のキャリッジ１０におけるキャリッジ本体３０に対して適用する場合に限らず、種々の装置ないし容器のケース本体に対して適用可能であり、本発明の回動復元装置４０もカバー部材３１と回動フラップ３７に限らず、種々の支持部材と回動部材に対して適用することが可能である。
【図面の簡単な説明】
【００４９】
【図１】ハウジングを取り外したインクジェットプリンタを示す斜視図。
【図２】インクジェットプリンタの内部構造の概略を示す側断面図。
【図３】キャリッジを示す斜め後方からの斜視図。
【図４】カバー装置を示す分解斜視図。
【図５】カバー装置を示す平面図。
【図６】カバー装置を示す左側面図。
【図７】図５中のＡ−Ａ断面図。
【図８】図５中のＢ−Ｂ断面図。
【図９】回動フラップをロック方向に一杯に回動させた状態を示す側断面図。
【図１０】回動フラップをロック解除方向に一杯に回動させた状態を示す側断面図
【図１１】回動復元装置の回動復元作動状態を誇張して示す側断面図。
【符号の説明】
【００５０】
１  カバー装置、２  自動給送装置、３  プリンタ本体（記録装置本体）、５  給送用トレイ、１０  キャリッジ、１１  無端ベルト、１２  キャリッジガイド軸、１３  記録ヘッド、１４  給送用ローラ、１５  エッジガイド、１６  ホッパ、１９  搬送用ローラ、２０  排出用ローラ、２６  記録ポジション、２８  プラテン、３０  キャリッジ本体（ケース本体）、３１  カバー部材（支持部材）、３２  回動ロック機構、３３  回動基端、３４  回動軸、３５  軸支承部材、３６  回動自由端、３７  回動フラップ（回動部材）、３８  前面板、３９  天面板、４０  回動復元装置、４１  回動自由端、４２  係止片、４３  指掛け部、４４  軸受部、４５  係止部材、４６  係止面、４７  案内曲面、４８  弾性支持部、４９  軸部、５０  弾性作用部、５１  （４分の３周分の）円柱軸、５２  半周軸、５３  （係合フック付きの）弾性挟持片、５４  （係合フックを有しない）弾性挟持片、５５  係合フック、５６  溝部、５７  軸受作用部、５８  当接端、５９  コーナー部、１００  インクジェットプリンタ（記録装置）、Ｐ  用紙（被記録材）、Ｘ  主走査方向、Ｙ  副走査方向、ＰＧ  ギャップ、Ｃ  インクカートリッジ、Ｆ  弾性復元力、Ａ  ロック解除方向、Ｂ  ロック方向、ｆ  弾性復元力
【図１】
2008018697.tif 000003
【図２】
2008018697.tif 000004
【図３】
2008018697.tif 000005
【図４】
2008018697.tif 000006
【図５】
2008018697.tif 000007
【図６】
2008018697.tif 000008
【図７】
2008018697.tif 000009
【図８】
2008018697.tif 000010
【図９】
2008018697.tif 000011
【図１０】
2008018697.tif 000012
【図１１】
2008018697.tif 000013